(57)【要約】【課題】住宅のバルコニーや屋上に設ける縦桟柵を、統一感や連続感を発揮させると共に施工を容易とし且つ防水性能を確保して建物の躯体に一体化させる。【解決手段】縦桟柵は、親柱１と手摺子２の外形形状を略等しくすると共に親柱１の強度よりも手摺子２の強度を小さくする。両側に親柱１を配置すると共に中間に複数の手摺子２を並列させ、上端部分を手摺棒３で、下端側を地繋４で接続してパネル状の手摺ユニットを構成する。【選択図】              図１
2004162334.tif 000002
【特許請求の範囲】
【請求項１】
親柱と手摺子からなる縦桟柵であって、親柱と手摺子の外形形状を略等しくすると共に親柱の強度よりも手摺子の強度を小さくしたことを特徴とする縦桟柵。
【請求項２】
親柱位置で分割され、且つ複数の手摺子を接続部材によって接続した手摺子ユニットを構成したことを特徴とする請求項１に記載した縦桟柵。
【請求項３】
建物の躯体に取付部材を設け、該取付部材に親柱の下端を接続したことを特徴とする請求項１又は２に記載した縦桟柵。
【発明の詳細な説明】
【０００１】
【発明の属する技術分野】
本発明は、親柱と手摺子を並列させて配置して構成した縦桟柵に関し、特に、意匠性を重視したバルコニーや屋上の手摺りとして用いる縦桟柵に関するものである。
【０００２】
【従来の技術】
住宅を含む建物のバルコニーや屋上の手摺りとして、縦方向に配置した複数の桟によって構成した縦桟柵がある。このような縦桟柵には、予め設定された強度を発揮するのに加えて、施工性や防水品質の向上、及び美観を向上させるべきことも要求される。
【０００３】
例えば、非特許文献１には、図７に示すように、縦方向に配置した全ての桟５２が同一外形を有し、且つ夫々の桟５２の下端部分がバルコニーの床５４に接続又は埋設されると共に上端部分が手摺棒５３によって連続させて構成した縦桟柵５１が記載されている。この縦桟柵５１では、全ての桟５２が同一の外形形状を有することから、外観をスッキリさせて統一感と連続感とを発揮させて美観を向上させることが出来る。
【０００４】
また図８に示す縦桟柵５５は、最近のプレハブ住宅のバルコニーに設けられるものであり、親柱５６と手摺子５７及び手摺棒５８と地繋５９とによって構成されている。親柱５６は下端部分が床６０に埋設又は接続されており、この親柱５６に上下端部が手摺棒５８，地繋５９によって接続された複数の手摺子５７からなる部品ユニットが連結されている。
【０００５】
親柱５６は縦桟柵５５に作用する荷重を建物に伝達する機能を有しており、前記機能を発揮するのに必要な強度を持って形成される。また手摺子５７は、それ自体が高い強度を発揮することは要求されず、該手摺子５７に力が作用したとき、この力を親柱５６に伝達し得るのに充分な強度を有している。このため、親柱５６の外形形状は、手摺子５７の外形形状よりも大きく設定されており、外観上、親柱５６と手摺子５７は一目瞭然に判別することが出来る。
【０００６】
また上記縦桟柵５５では、親柱５６の位置或いは間隔は取り付けるべきプレハブ住宅の躯体構造の位置に応じて設定されるため、必ずしも一定の間隔を持って設置されるものではなく、躯体の構造に応じて種々変化する。このため、縦桟柵５５では、手摺子５７よりも外形の大きい親柱５６が、異なる間隔を持って配置されることとなり、統一感と連続感に乏しい外観となることがある。
【０００７】
【非特許文献１】
ＧＡ  ＤＯＣＵＭＥＮＴ  ＳＰＥＣＩＡＬＩＳＳＵＥ  ３  ＭＯＤＥＲＮ  ＡＲＣＨＩＴＥＣＴＵＲＥ  １９２０−１９４５
【０００８】
【発明が解決しようとする課題】
上記非特許文献１に記載された縦桟柵では全ての桟が同一の外形を有するため、統一感，連続感を発揮して美観を向上させることが出来るという利点を有する。しかし、全ての桟の下端部分を床に埋設或いは接続すると共に、上端部分に手摺棒を取り付けることから、施工手間が掛かるという問題がある。特に、桟の下端部分を床に埋設することは防水上の欠点となりやすく、且つ数が多いことは不利になる。従って、手工業的な建築物には充分に対応して高い意匠性を発揮し得るものの、プレハブ住宅のような工業的な建物には向かないという問題がある。
【０００９】
また図８に示す縦桟柵は、手摺子と地繋，手摺棒によって構成された部品ユニットを有しており、下端部分を床に埋設或いは接続した親柱を利用して部品ユニットを接合することで構成される。このため、施工が容易であり且つ部品展開も明確なことから、プレハブ住宅には最適に利用することが出来る。更に、防水品質も確保し易いという利点もある。
【００１０】
しかし、親柱の外形形状が手摺子の外形形状よりも大きいこと、親柱の間隔が必ずしも一定のピッチならないことから、個別の建物毎に躯体構造に配慮した設計を行わないと、統一感や連続感を失い、美観を損ねるという問題が生じる。
【００１１】
また親柱と手摺子を同一の材料を用いて断面形状を同じにした場合、手摺子に対応する部分では過大な強度を有することとなり、縦桟柵の重量が増加すると共に材料コストが上昇するという問題が生じる。特に、重量が増加することは、構造荷重条件として不利であり、且つ施工性も非常に低下するという問題も生じる。
【００１２】
本発明の目的は、統一感や連続感を発揮させることが出来、施工が容易で且つ防水性能を確保して建物の躯体に一体化させることが出来るプレハブ住宅に適した縦桟柵を提供することにある。
【００１３】
【課題を解決するための手段】
上記課題を解決するために本発明に係る縦桟柵は、親柱と手摺子からなる縦桟柵であって、親柱と手摺子の外形形状を略等しくすると共に親柱の強度よりも手摺子の強度を小さくしたものである。
【００１４】
上記縦桟柵では、親柱と手摺子の外形形状を略等しくすることで、同じ外形形状を持った親柱と手摺子が並列することとなり、統一感と連続感を発揮することが出来る。また手摺子の強度が親柱の強度よりも小さいため、過仕様となることがなく、合理的な縦桟柵として構成することが出来る。
【００１５】
親柱の強度よりも手摺子の強度を小さくすることは、手摺子の重量を親柱の重量よりも軽量化することにつながり、縦桟柵の軽量化をはかることが出来る。このことは、更なる親柱の軽量化にもつながり、全体として軽量な縦桟柵を製造することが出来る。
【００１６】
親柱の強度よりも手摺子の強度を小さくするためには、親柱の材料と手摺子の材料を異なるものとすること、材質を変えること、によって対応することが出来る。例えば、材料を変える場合、親柱の断面に於ける外形寸法と、手摺子の断面に於ける外形寸法を略等しくし、親柱の材料として中実材を採用し手摺子の材料として中空材を採用することで実現することが出来、或いは親柱，手摺子共に中空材とする場合には両者の肉厚を変化させることで実現することが出来る。また材質を変える場合、親柱に鋼材を採用し、手摺子にアルミニウムを含む軽合金、或いは合成樹脂を採用することで実現することが出来る。
【００１７】
上記縦桟柵に於いて、親柱位置で分割され、且つ複数の手摺子を接続部材によって接続した手摺子ユニットを構成することが好ましい。この手摺子ユニットでは、複数の手摺子と接続部材とによって構成される。即ち、手摺子ユニットと親柱との関係を自由に設定することが出来、自由度の高い縦桟柵を構成することが出来る。
【００１８】
例えば、手摺子ユニットと親柱とを全く独立させた状態で構成しておき、予めバルコニーの床或いは屋上に設置した親柱に手摺子ユニットの両端部分を接続するように構成することが出来る。また予め接続部材の一方側の端部に親柱を取り付けて手摺子ユニットを構成しておき、所定位置に設置した後、他方側の端部を隣接する他の手摺子ユニットの親柱、或いは単独で設置した親柱に接続することで縦桟柵を構成することも出来る。更に、予め接続部材の両端側に親柱を取り付けた手摺子ユニットと、接続部材と手摺子とによって構成した手摺子ユニットを構成しておき、これらの手摺子ユニットを交互に配置して接続部材を隣接する親柱に取り付けて縦桟柵を構成することも出来る。手摺子ユニットこのように構成することで、親柱は躯体構造に応じたピッチで設置されるものの、同じ外形形状を持った親柱と手摺子が並列することとなり、統一感と連続感を損なうことがない。
【００１９】
上記何れかの縦桟柵に於いて、予め建物の躯体に取付部材を設けておき、該取付部材に親柱の下端を接続することが好ましい。縦桟柵をこのように構成することによって、バルコニー或いは屋上に縦桟柵を設置するに際し、親柱を建物に取り付ける場合に床に埋設するのに比較して機能分担と施工業種分担が明確になり、品質を確保し易くなる。即ち、躯体に取り付けられた取付部材は防水施工が完結しており、この取付部材に対し防水性能の確保とは無関係に親柱を固定することで、躯体に対する取付部材の取付，防水施工と、取付部材に対する親柱の取付施工とが分離され、夫々の業種に合った品質を確保することが出来る。
【００２０】
上記の如く、予め躯体に親柱を取り付けるための取付部材を形成しておき、この取付部材に親柱を取り付けるように構成することで、縦桟柵の設置作業を容易に行うことが出来る。そして前記取付部材の設置間隔を建物に設定されたモジュール寸法に関連付けることによって、手摺子ユニットの左右方向の寸法もモジュール寸法を基準として設定することが出来、部品点数を増大させることなく、良好な縦桟柵を構成することが出来る。
【００２１】
取付部材の構成は限定するものではなく、１つの取付部材に１本の親柱を取り付けるようにすることが可能である。この場合、１本の親柱には両側から異なる手摺子ユニットの接続部材が接続されることとなる。また１つの取付部材に２本の親柱を取り付けるようにすることも可能である。この場合、取付部材には２つの互いに独立した手摺子ユニットが取り付けられることとなる
【００２２】
【発明の実施の形態】
以下、本発明に係る縦桟柵の好ましい実施形態について説明する。本発明に係る縦桟柵は、親柱と手摺子の外形形状を略等しくすることによって、外観上の統一感と連続感を発揮させると共に、親柱の強度より手摺子の強度を小さくすることによって、親柱の機能と手摺子の機能を明確にし、これにより、強度上の面から合理的な縦桟柵を構成するものである。更に、複数の手摺子を接続部材に固定した手摺子ユニットを構成し、この手摺子ユニットを構成する接続部材の端部を親柱或いは取付部材に取り付けることで縦桟柵を構成し得るようにしたものである。
【００２３】
上記の如き本発明に係る縦桟柵では、親柱の設置間隔の如何に関わらず、同じ外形形状を持った親柱及び手摺子が並列することとなり、スッキリとした外観を呈して統一感と連続感を発揮することが可能である。また縦桟柵を構成するに際し、建物に対する埋設或いは接続は親柱の下端部分のみであり、煩雑な作業を必要とせず且つ防水品質を確保して縦桟柵を構成することが可能である。更に、手摺子ユニットを用いることによって容易に且つ合理的に施工することが可能である。
【００２４】
本発明に係る縦桟柵に於いて、複数の手摺子の相互の間隔は一定の値である必要はなく、意匠性を考慮して適宜設定することが可能である。また手摺子は縦方向に貫通して配置される必要もなく、例えば手摺子の上端部分を接続する手摺棒或いは接続部材の下方に横方向或いは斜め方向に部材（手摺子と同じ材料である必要はない）を配置して手摺子を固定し、該部材によって縦桟柵に構成される面に四角形，菱形を含む形状の開口を形成して意匠性を高めることも可能である。
【００２５】
即ち、本発明に係る縦桟柵に於いて、縦桟柵を構成する意匠が、必ずしも縦方向に配置された親柱と手摺子とによる縦桟模様にのみ限定されるべきものではない。
【００２６】
親柱は、下端部分が躯体に固定された取付部材に接続され、或いは下端部分がバルコニーや屋上の床に埋設されることで、縦桟柵に作用する力を躯体に伝達する機能を有する。このため、親柱は前記機能を発揮し得るような設計がなされ、部材の材質，断面形状が設定される。特に、親柱を固定する場合、個々の親柱の下端部分をバルコニーや屋上の床に埋設するのでは施工が困難であることが多い。従って、予め躯体に上端が床の上部に突出する取付部材を固定しておき、この取付部材に親柱の下端部分をボルトを利用して取り付けるように構成することが好ましい。
【００２７】
手摺子は並列した複数の手摺子と交叉する方向に配置された接続部材に固定され、バルコニー或いは屋上の柵としての機能を有する。このため、手摺子は前記機能を発揮し得るような設計がなされ、且つ親柱の外形形状と略等しい外形形状を持ち且つ親柱よりも小さい強度を発揮し得るような材質，断面形状が設定される。即ち、手摺子は軽量であることが重要であり、強度としては親柱の強度よりも小さくて良い。
【００２８】
本発明では、親柱は単に強度的な面からのみ設計されるのではなく、設計された強度を満足するという条件の基に意匠的な面が考慮され、手摺子は外形形状が親柱の外形形状と略等しくなるように設定されている。即ち、親柱，手摺子の断面形状は特に限定するものではないが、外部から見たとき美観を満足させ得るように設計される。
【００２９】
上記の如く、親柱と手摺子の外形形状を略等しくすることによって、縦桟柵の統一感と連続感を発揮させることが可能である。親柱の断面形状は、縦桟柵に作用する力を躯体に伝達するという機能を満足し、且つ美観を満足させる限り限定するものではなく、矩形，長方形，円形等の形状であって所望の形状を選択して用いることが可能である。
【００３０】
縦桟柵を取り付ける部位が２階のバルコニーであるか屋上であるか、即ち、縦桟柵が該縦桟柵を視認し得る位置からの離隔距離を考慮して親柱，手摺子の外形断面形状を設定することが好ましい。縦桟柵を視認し得る位置からの距離が遠い場合、強度的な条件を満足するとして親柱の断面形状を小さくすると、縦桟柵を構成する親柱，手摺子が細くなって繊細な感じとなる。このため、外形断面形状はある程度大きいものの方が安定感を発揮して好ましいことがある。
【００３１】
本発明に於いて、親柱と手摺子の外形形状は略等しいにも関わらず、親柱の強度よりも手摺子の強度は小さい。このように、親柱の強度より手摺子の強度を小さくする方法としては特に限定するものではない。このような方法として、例えば、親柱に中実材を採用すると共に手摺子に中空材を採用する方法、親柱及び手摺子共に中空材を採用して親柱の肉厚よりも手摺子の肉厚を薄くする方法、親柱の材料として鋼を採用すると共に、手摺子の材料としてアルミニウムを含む軽合金或いは合成樹脂を採用することが可能である。このため、大きい強度を必要としない手摺子に対する材料の節約をはかると共に軽量化を実現することが可能である。
【００３２】
手摺子は縦方向に複数並列され、これらの手摺子に交叉する方向に配置された接続部材によって互いに接続されている。接続部材の構成は特に限定するものではないが、手摺子の断面形状と略等しいか大きい断面形状を有し、且つ意匠的にバランスのとれた形状を有することが好ましい。
【００３３】
接合部材は、必ずしも１本の部材によって構成する必要はなく、２本或いは３本の部材を用いて構成しても良い。即ち、接続部材として、複数の手摺子の上端部分の開口部を覆うように配置された手摺棒と、下端部分の開口部を完全に覆うことなく、水抜きが可能なように配置され或いは手摺子の下端側の側面に配置された地繋と、からなる２本の部材を用いて構成しても良く、更に、手摺子の縦方向の略中央部分に配置された横架材を含む３本の部材によって構成しても良い。
【００３４】
並列した複数の手摺子を接続部材（手摺棒と地繋）に固定して手摺子ユニットが構成されている。手摺棒と地繋の長さを建物に設定されたモジュールの整数倍の寸法に関連付けて設定することが好ましく、この構成によって、親柱の間隔の如何に関わらず適用し得る手摺子ユニットを構成することが可能である。特に、工業化住宅では、予め設定され且つ共通したモジュール寸法に基づいて製作されるため、共通化した縦桟柵を構成することが可能となる。
【００３５】
接続部材を構成する地繋は、複数の手摺子の下端側を繋ぐことを目的としており、特に、手摺子が中空材で構成されている場合、該手摺子の奥行き方向（例えば建物に於ける表面と裏面との方向）の寸法よりも小さい奥行き寸法を持った材料を用い、この材料を介して手摺子の下端を繋ぐことによって手摺子の中空部の下端側を開放しておくことが好ましい。このような地繋を用いることによって、例えば雨水が手摺子の上端開放部から浸入しても、下方に流下して外部に落下することが可能となり好ましい。
【００３６】
上記手摺子ユニットの横方向の端部（手摺棒，地繋の端部）に親柱に接合する接合部、或いは隣接する他の手摺子ユニットに接合する接合部を構成することで、予め設置した親柱に対し接合部を介して手摺子ユニットを取り付けることが可能であり、或いは手摺子ユニットどうしを接合することが可能である。接合部の構造は特に限定するものではなく、手摺棒を構成する部材に嵌合させた筒状の部材とボルト等の固定具とによって構成することが可能である。
【００３７】
また手摺子ユニットは必ずしも親柱に接合するように構成したものに限定するものではなく、予め接続部材の一方側の端部、或いは両端部に親柱を取り付けた状態で構成しても良い。この場合、予め床や屋根面に設けた取付部材に手摺子ユニットの親柱を接続することで設置することが可能となり、この設置作業が容易となる。
【００３８】
上記の如く手摺子ユニットとしては、縦方向に配置した複数の手摺子を所定数の接続部材に固定したものと、一方側或いは両側に親柱を有するものと、からなる複数の構造を有するものを構成することが好ましい。
【００３９】
次に、本発明に係る縦桟柵の実施例について図を用いて説明する。図１は第１実施例に係る縦桟柵の構成を説明する図である。図２は親柱を取付部材に取り付ける構造と親柱と手摺子の断面形状を説明する図である。図３は接合部の構成を説明する図である。図４は第２実施例，第３実施例に係る縦桟柵の構成を説明する図である。図５は第４実施例に係る縦桟柵の構成を説明する図である。図６は第５実施例に係る縦桟柵の構成を説明する図である。
【００４０】
先ず、図１〜図３により第１実施例に係る縦桟柵の構成について説明する。本実施例に係る縦桟柵は、横方向の両端に夫々親柱１が配置されると共にこれらの親柱１の間に複数の手摺子２を配置し、親柱１，手摺子２の上端部分を接続部材を構成する手摺棒３によって接続すると共に下端部を地繋４によって接続することで構成した手摺子ユニットＡを有している。
【００４１】
尚、手摺子ユニットは、幅方向の長さが異なるものが構成されているが、手摺子の配置状態と、接続部材に対する固定状態が同一であるものには同一の符号を付けるものとする。
【００４２】
即ち、並列して配置された複数の手摺子２の両端側に夫々親柱１が配置されると共に、親柱１及び手摺子２の上端部分は手摺棒３によって、下端部分は地繋４によって夫々接続されることで、パネル状の手摺子ユニットＡが構成されている。この手摺子ユニットＡは、１つの取付部材６に隣接させた２つの手摺子ユニットＡの夫々の親柱１（２本の親柱１）を取り付け、隣接する親柱１の間隔に対応させて手摺子２の間隔も設定される。意匠的に親柱１を一層細くしたい場合、親柱１の強度に比して取付部材６の強度は高くなる。そして取付部材６の数は少ない方が好ましいので、親柱１を２本ずつ固定合理的であり、且つ親柱１，手摺子２を細くすることが可能となる。
【００４３】
本実施例に於いて、親柱１は２５ｍｍ×１２ｍｍのフラットバー（鋼製の中実材）を用いており、手摺子２は２５ｍｍ×１２ｍｍ、肉厚１．６ｍｍの鋼製の角パイプを用いている。従って、親柱１と手摺子２は等しい外形形状を有し、且つ親柱１の強度は手摺子２の強度よりも大きくなるように構成されている。
【００４４】
この場合、親柱１を構造用炭素鋼からなる角パイプを用い、手摺子２をアルミニウムを含む軽合金或いは合成樹脂からなる角パイプを用いることも可能である。
【００４５】
親柱１の下端部には、ボルト穴１ｂが形成されたブラケット１ａが固定されており、該ブラケット１ａを利用して後述する取付部材６を介して建物の躯体を構成する梁７に固定し得るように構成されている。
【００４６】
特に、ブラケット１ａは、取付部材６の取付プレート６ｂに取り付けたとき、取付部材６の中心線６ｃと親柱１の中心との距離が、親柱１と隣接する手摺子２との夫々の中心の距離（手摺子２間の夫々の中心の距離）の略１／２となるように設定されており、且つ該ブラケット１ａに長穴１ｂを形成しておくことで、取付時の位置の微調整の自由度を向上させ、加工公差や温度変化による変形を吸収し得るように構成されている。尚、前記長穴１ｂは必ずしも親柱１のブラケット１ａに形成する必要はなく、取付部材６の取付プレート６ｂに形成しても良い。
【００４７】
手摺棒３は、親柱１，手摺子２の幅寸法（２５ｍｍ）よりも大きい幅寸法を持ったＣ型形状に形成されている。そして手摺棒３を親柱１，手摺子２の上端部を覆うように配置して互いに溶接することで、親柱１，手摺子２の一体化をはかっている（図３参照）。
【００４８】
手摺棒３の端部には夫々ボルト穴３ａが形成されており、該ボルト穴３ａが接合部としての機能を有している。即ち、手摺棒３には連結部材８が嵌合しており、該連結部材８を介して隣接する２つの手摺ユニットＡの手摺棒３を接合することで、複数の手摺ユニットＡを接合して縦桟柵を構成することが可能である。
【００４９】
地繋４は親柱１，手摺子２の幅寸法（２５ｍｍ）よりも小さい幅と所定の高さ寸法を持った角パイプによって構成されており、該角パイプの幅方向に手摺子２を溶接して固定している。このため、手摺子２の中空部分が下端で地繋４の前後方向に僅かに開口することとなり、雨水や散水が手摺子２に浸入した場合であっても、下端部に形成された開口から水抜きすることが可能である（図２参照）。
【００５０】
バルコニー或いは屋上の床５であって予め設定された位置には取付部材６が配置され、該取付部材６は躯体を構成する梁７に固定されている。本実施例に於いて、取付部材６は、梁７に固定される柱体６ａと、柱体６ａの上端部に固定されて親柱１を固定する取付プレート６ｂとによって構成されている。
【００５１】
そして取付部材６の取付プレート６ｂに親柱１のブラケット１ａを載置して図示しないボルトによって取り付けることで、手摺子ユニットＡを取付部材６を介して躯体に固定することが可能である。
【００５２】
上記の如く構成された手摺子ユニットＡからなる−縦桟柵では、親柱１の下端が取付部材６に固定され、上端側は連結部材８を介して隣接する手摺棒３が接合されることで、目的のバルコニー或いは屋上に手摺を構成することが可能である。特に、親柱１と手摺子２の外形形状が略等しく形成されるため、取付部材６を介して躯体に取り付けたとき、外観上親柱１と手摺子２の区別がつかず、統一感と連続感を発揮することが可能である。
【００５３】
また縦桟柵に降りかかった雨水や散水が手摺子２の中空部に浸入した場合であっても、この水は手摺子２の下端側に固定した地繋４との間に形成された僅かな開口部から排出されるため、防水性能を確保することが可能となる。
【００５４】
本実施例に於いて、手摺棒３を接合する構造は特に限定するものではなく、図３に示す構成を適宜採用することが可能である。即ち、同図（ａ）は、リップ付きのＣ型に形成された手摺棒３を利用した手摺ユニットを接合する構造を示している。この構造では、手摺棒３の両端部分の所定位置にボルト穴３ａが形成されている。また手摺棒３に嵌合し得る寸法を持った溝型に形成され且つ手摺棒３に形成したボルト穴３ａに対応する位置に長穴８ａを形成した連結部材８を利用している。
【００５５】
従って、予め連接した手摺ユニットの一方の手摺棒３に連結部材８を収容してボルト１１ａ，ナット１１ｂによって固定しておき、バルコニー或いは屋上に手摺を構成する場合、手摺ユニットを構成する親柱１を取付部材６に固定する毎に、隣接する手摺ユニットの手摺棒３に連結部材８を嵌合してボルト１１ａ，ナット１１ｂを締結することで、連接した手摺ユニットを接合することが可能である。
【００５６】
同図（ｂ）は、手摺棒３の端部をコ字状に形成した手摺ユニットを接合する接合部の他の例を示すものである。この例では、予め手摺ユニットを連続させて配置すると共に各手摺ユニットを構成する親柱１を取付部材６に固定した後、手摺棒３の下側の開放部分から連結部材８を添わせてボルト，ナットによって固定することで、連接した手摺ユニットを固定することが可能である。
【００５７】
次に、図４により第２実施例，第３実施例に係る縦桟柵の構成について説明する。同図（ａ）は第２実施例に係る縦桟柵を示している。この実施例では、前述の第１実施例の縦桟柵を基本とし、各手摺子ユニットＡの上方に手摺棒３とは異なる手摺棒１０を設けて構成している。このように、手摺子ユニットＡに加えて新たな手摺棒１０を設けた縦桟柵であっても、親柱１と手摺子２の外形形状が略同一であるため、統一感と連続感を発揮することが可能である。
【００５８】
同図（ｂ）は第３実施例に係る縦桟柵を示している。この実施例では、前述した第１実施例を基本として構成されている。この縦桟柵は、予め設定された幅方向の寸法を有し手摺子２を不等間隔に配置した手摺子ユニットＢと、手摺子ユニットＢよりも大きい幅寸法を有し複数の手摺子ユニットＢを接続したときの手摺子２の配置と同一配置となるように手摺子２を配置した手摺子ユニットＣと、を有しており、これらの手摺子ユニットＢと手摺子ユニットＣを連続させて構成されている。
【００５９】
このように、手摺子２の間隔は必ずしも一定である必要はなく、親柱１と手摺子２の配置を規則的に繰り返すことによって統一感と連続感を発揮することが可能である。また縦桟柵としての統一感と連続感を発揮し得る限り、手摺子ユニットの幅方向の寸法は親柱１を取り付けるために設置された取付部材６の間隔に対応させて設定することが可能である。
【００６０】
次に図５により第４実施例に係る縦桟柵の構成について説明する。この実施例では、複数の手摺子２を並列させると共に該列の両端側に夫々親柱１を配置し、これらの親柱１，手摺子２の上端部分にＣ形鋼からなる手摺棒３を配置すると共に溶接等の手段で固定し、且つ下端側の側面に予め設定された高さを持ったＣ型に形成された地繋４を配置すると共に該地繋４に溶接等の手段で固定されることで、手摺子ユニットＤが構成されている。また地繋４の両端部に於ける所定位置には、複数のボルト穴４ａが形成されている。
【００６１】
また取付部材６を構成する柱体６ａの上端にはブラケット６ｄが設けられており、該ブラケット６ｄに手摺子ユニットＤの地繋４の端部を対向させると共にボルト穴４ａに図示しないボルト，ナットを挿通して締結することで、手摺子ユニットＤを取付部材６を介して建物の躯体に取り付けることが可能である。
【００６２】
上記の如く構成された手摺子ユニットＤによって構成した縦桟柵であっても、親柱１と手摺子２の外形形状が略等しく形成されるため、外観上、親柱１と手摺子２の区別がつかず、統一感と連続感を発揮することが可能である。
【００６３】
次に、図６により第５実施例に係る縦桟柵の構成を説明する。図に於いて、親柱１は下端部分が床５に埋設されており、該親柱１に、複数の手摺子２と、手摺棒３，地繋４によって構成され、且つ幅の異なる手摺ユニットＥが取り付けらることで縦桟柵が構成されている。
【００６４】
上記縦桟柵であっても、親柱１と手摺子２の外形形状が略同一であるため、統一感と連続感を発揮した縦桟柵を構成することが可能である。
【００６５】
【発明の効果】
以上詳細に説明したように本発明に係る縦桟柵では、親柱と手摺子の外形形状を略等しくすることによって、同じ外形形状を持った親柱と手摺子が縦方向に並列することとなり、統一感と連続感を発揮して美観を向上させることが出来る。
【００６６】
また親柱を高い強度で且つ手摺子を親柱よりも低い強度で構成することで、手摺子を過品質とすることがなく、該手摺子の軽量化をはかることが出来る。このため、縦桟柵全体の重量を軽くすることが出来、構造上好ましい縦桟柵を構成することが出来る。
【００６７】
また親柱位置で分割され、且つ複数の手摺子を接続部材によって接続した手摺子ユニットを構成することによって、取り付けるべき住宅の躯体構造の如何に関わらず、躯体構造に応じた取付部材を設置すると共に該取付部材に親柱を含むユニット化した手摺子を接合することが出来る。このため、バルコニーや屋上に対する縦桟柵の取付作業を容易に行うことが出来る。
【００６８】
更に、上記の如く構成された縦桟柵では、部品展開も明確なことからプレハブ住宅には最適に利用することが出来、且つ取付部材を介して躯体に固定することから防水品質も確保し易い。
【図面の簡単な説明】
【図１】第１実施例に係る縦桟柵の構成を説明する図である。
【図２】親柱を取付部材に取り付ける構造と親柱と手摺子の断面形状を説明する図である。
【図３】接合部の構成を説明する図である。
【図４】第２実施例，第３実施例に係る縦桟柵の構成を説明する図である。
【図５】第４実施例に係る縦桟柵の構成を説明する図である。
【図６】第５実施例に係る縦桟柵の構成を説明する図である。
【図７】従来の縦桟柵の構成を説明する図である。
【図８】従来の縦桟柵の構成を説明する図である。
【符号の説明】
Ａ〜Ｅ                手摺子ユニット
１                    親柱
１ａ                  ブラケット
１ｂ                  長穴
２                    手摺子
３                    手摺棒
３ａ                  ボルト穴
４                    地繋
４ａ                  ボルト穴
５                    床
６                    取付部材
６ａ                  柱体
６ｂ                  取付プレート
６ｃ                  中心線
６ｄ                  ブラケット
７                    梁
８                    連結部材
８ａ                  長穴
１０                    手摺棒
１１ａ                  ボルト
１１ｂ                  ナット
【図１】
2004162334.tif 000003
【図２】
2004162334.tif 000004
【図３】
2004162334.tif 000005
【図４】
2004162334.tif 000006
【図５】
2004162334.tif 000007
【図６】
2004162334.tif 000008
【図７】
2004162334.tif 000009
【図８】
2004162334.tif 000010